(57)【特許請求の範囲】
【請求項１】
キャビネット本体に引き出し自在に装着されてなる抽斗本体内の上部に上段抽斗を配設し、該上段抽斗は、水平部分と、奥行側方向に向かって下がり勾配で配設されてなるガイドレールに沿ってスライド自在に取り付けられていると共に、抽斗本体を全閉状態から全開状態へと引き出すと、上段抽斗は下段抽斗の上部を塞いだ状態のまま引き出され、上段抽斗を奥行方向へ押圧することで、自重スライドすることを特徴とする抽斗装置。
【発明の詳細な説明】
【０００１】
【発明の属する技術分野】
この発明は、家具等のキャビネットに引き出し自在に装着されてなる抽斗装置に係り、特に、抽斗内部が上下２段に区分けされ、該上段抽斗がスライド自在に構成されてなる抽斗装置に関する。
【０００２】
【従来技術とその課題】
周知のように、家具等のキャビネットに引き出し自在に装着されてなる抽斗には、抽斗内部が上下２段に区分けされて、より多くの小物類を収納できるように構成したものが提案されている。
【０００３】
このような上下２段抽斗の場合、従来では、上記上段抽斗は、トレイ状に形成されたものを、抽斗本体の内部に突設された枠体或は突起体からなる係止体に落し込み係止させることで着脱自在に装着されているため、下段抽斗を利用する場合には、その都度、上段抽斗を取り外して他の場所に退かせておかなければならず、また、抽斗本体を閉じる場合には、再び上段抽斗を抽斗本体内の上部に落し込んだ後に閉じなければならないため、使い勝手が非常に煩雑であり、しかも、下段抽斗を使用する場合に上段抽斗を取り外す場合には、抽斗本体を全開位置まで引き出さなければ着脱作業を行うことができないため、非効率的である、という課題を有していた。
【０００４】
この発明は、かかる現状に鑑み創案されたものであって、その目的とするところは、上下２段に区分けされた抽斗の上段抽斗をスライド自在とし、かつ、該上段抽斗は、抽斗本体の全開位置から自動的に下降スライドして全閉収納位置まで移動し、該全閉位置で正確に停止させることができるので、下段抽斗も簡単に使用することができる使い勝手に優れた抽斗装置を提供しようとするものである。
【０００５】
【課題を解決するための手段】
上記目的を達成するため、この発明に係る抽斗装置にあっては、  キャビネット本体に引き出し自在に装着されてなる抽斗本体内の上部に上段抽斗を配設し、該上段抽斗は、水平部分と、奥行側方向に向かって下がり勾配で配設されてなるガイドレールに沿ってスライド自在に取り付けられていると共に、抽斗本体を全閉状態から全開状態へと引き出すと、上段抽斗は下段抽斗の上部を塞いだ状態のまま引き出され、上段抽斗を奥行方向へ押圧することで、自重スライドすることを特徴とするものである。
【０００６】
【発明の実施の形態】
以下、添付図面に示す実施の一形態例に基づきこの発明を詳細に説明する。
【０００７】
図１乃至図３に示すように、この発明の実施の一形態例に係る抽斗装置Ｈは、キャビネット本体１の抽斗収納空間部２に引出・収納自在に装着されてなる抽斗本体１０と、該抽斗本体１０内の鏡板１１の裏面側下部に固定された断面略凹状に形成された下段抽斗１２と、上記鏡板１１の裏面側上部に配設された断面略凹状の上段抽斗１５と、で鏡板１１の裏面側に上下２段の抽斗１２，１５を有して構成されていると共に、上記鏡板１１と下段抽斗１２の背面板１３は、ロッド１４を介してタイトに連結されていて強度保持が図られている。
【０００８】
そして、上記上段抽斗１５の両側外壁面部には、上記抽斗本体１０の両壁内面に配設され、かつ、上記抽斗収納空間部２の奥行側方向に向かって下がり勾配で配設されてなるガイドレール１６，１６とスライド自在に係合して、該ガイドレール１６，１６に沿ってスライド自在に取り付けられていると共に、該上段抽斗１５の側板外面には、上記キャビネット本体１への全閉収納位置において該キャビネット本体１に突設されたストッパ体３と係合する切欠１７が形成されている。
【０００９】
また、上記上段抽斗１５をスライド自在にガイドする上記ガイドレール１６，１６は、鏡板１１の裏面側近傍において水平部分１６Ａが形成されているため、抽斗本体１０が全開・全閉位置にあるときには、上段抽斗１５が該水平部分１６Ａと係合して水平状態を保持するように構成されており、上段抽斗１５を奥行方向に軽く押圧することで、該上段抽斗１５はガイドレール１６，１６の水平部分１６Ａから離脱して傾斜部分１６Ｂへと移動し、この後は、上段抽斗１５はガイドレール１６，１６の傾斜勾配に沿って自重スライドした後、上段抽斗１５の切欠１７の縦壁面が上記ストッパ体３と衝合して上記スライド移動が停止されて全閉位置で自動的に停止する。
【００１０】
尚、上記状態から抽斗本体１０を全閉状態まで閉じると、上記ストッパ体３と衝合して停止している上段抽斗１５は、ガイドレール１６，１６に沿って、図２に示す上段抽斗１５の最上昇位置まで自動的に上昇し、抽斗本体１０の全閉状態でガイドレール１６，１６の水平部分１６Ａと係合して水平に保持される。
【００１１】
この形態例に係る抽斗装置Ｈは、以上のように構成されているので、抽斗本体１０を図１に示す全閉状態から図２に示す全開状態へと引き出すと、上段抽斗１５はガイドレール１６，１６の水平部分１６Ａに係合しているので、鏡板１１に接し下段抽斗１２の上部を塞いだ状態のまま引き出される。
【００１２】
この状態で下段抽斗１２に小物類を出し入れする場合には、図２に示す状態から、上記上段抽斗１５を抽斗収納空間部２の奥行方向に軽く押圧することで、該上段抽斗１５はガイドレール１６，１６の水平部分１６Ａから離脱して傾斜部分１６Ｂへと移動し、この後は、上段抽斗１５はガイドレール１６，１６の傾斜勾配に沿って自重スライドした後、上段抽斗１５の切欠１７の縦壁面が上記ストッパ体３と衝合して上記スライド移動が停止されて全閉位置で自動的に停止するので、下段抽斗１２の上部は開放されるため、楽に小物類の出し入れを行なうことができる。また、抽斗本体１０を閉じるときにも、上段抽斗１５を図２に示す状態まで引き戻す必要がなく、そのまま抽斗本体１０を押圧して閉じることで、上段抽斗１５を自動的にガイドレール１６，１６の水平部分１６Ａに係合させることができる。
【００１３】
【発明の効果】
この発明に係る抽斗装置は、以上説明したように、上下２段に区分けされた抽斗の上段抽斗をスライド自在とし、かつ、該上段抽斗は、抽斗本体の全開位置から自動的に下降スライドして全閉収納位置まで移動し、該全閉位置で正確に停止させるように構成されているので、上下２段の抽斗を効率的に使用することができると共に、下段抽斗を利用する場合にも、上段抽斗を簡単に退けることができるので、使い勝手が非常に良好である等の優れた効果が得られる。
【図面の簡単な説明】
【図１】この発明の実施の一形態例に係る抽斗装置の全閉状態を示す断面図である。
【図２】同抽斗装置の全開状態を示す断面図である。
【図３】同抽斗装置の上段抽斗がスライドした状態を示す断面図である。
【符号の説明】
Ｈ  抽斗装置
１  キャビネット本体
２  抽斗収納空間部
３  ストッパ体
１０  抽斗本体
１２  下段抽斗
１５  上段抽斗
１６，１６  ガイドレール
１６Ａ  水平部分
１７  切欠
【図１】
0004552063.tif 000002
【図２】
0004552063.tif 000003
【図３】
0004552063.tif 000004